(57)【要約】【課題】接着剤による接着構成部分を極力少なくし、包装用箱の内部に所望の収納物を収納したのち、当該包装用箱を封緘する際、紙の特性を利用し、差込片の差し込みによって確実にロック封緘するようにした包装用箱を提供すること。【解決手段】互いに平行する第１〜第５の５本の折線を介して連接された第１の側壁１〜第６の側壁６を有し、第１の側壁の上方および下方に折線を介して連続する第１および第２の中蓋片１３、１５と、第４の側壁および第６の側壁の上方および下方に折線を介して連続する垂蓋片と、第３の側壁の上方および下方に折線を介して連続する天蓋壁２６および底蓋壁２７とを有し、天蓋壁の差込片と第１の側壁の上方側との間、および底蓋壁の差込片と第１の側壁の下方側との間に、組立段階において差込片の差し込みによってロックされるロック手段３０を設け、天蓋壁の一部に開封手段３５を設けた包装用箱。【選択図】図１
2006103728.tif 000002
【特許請求の範囲】
【請求項１】
一枚のシートを複数の折線を介して折り曲げて構成される包装用箱であって、互いに平行する第１〜第５の５本の折線を介して同一方向に折り曲げ可能に連接された第１の側壁、第２の側壁、第３の側壁、第４の側壁、前記第１の側壁の外側に重なり合う第５の側壁および前記第２の側壁の外側に重なり合う第６の側壁とを有し、前記第１の側壁の上方および下方に折線を介して連続する第１および第２の中蓋片と、前記第２の側壁または第４の側壁および第６の側壁の上方および下方に折線を介して連続する垂蓋片と、前記第３の側壁の上方および下方に折線を介して連続する天蓋壁および底蓋壁とを有し、前記天蓋壁の差込片と前記第１の側壁の上方側との間、および前記底蓋壁の差込片と前記第１の側壁の下方側との間に、組立段階において前記差込片の差し込みによってロックされるロック手段を設け、前記天蓋壁の一部に開封手段を設けたことを特徴とする包装用箱。
【請求項２】
前記ロック手段が、前記天蓋壁および底蓋壁における各差込片の外側に向けてのび、それぞれ折り畳み線を介して左右に連続する折り畳みフック片と、前記第１の側壁における上方側および下方側に設けられていて、前記折り畳みフック片を折り畳んだ状態で入り通過を許容し、通過後、拡がった状態で外れ通過を阻止する折り畳みフック片受入れ孔とからなることを特徴とする請求項１に記載の包装用箱。
【請求項３】
前記開封手段が、前記天蓋壁の全幅に渡って横断するミシン目線ジッパーであることを特徴とする請求項１あるいは請求項２に記載の包装用箱。
【請求項４】
一枚のシートを複数の折線を介して折り曲げて構成される包装用箱であって、互いに平行する第１〜第４の４本の折線を介して同一方向に折り曲げ可能に連接された第１の側壁、第２の側壁、第３の側壁、第４の側壁および糊代フラップとを有し、前記第１〜第４の側壁における各下方に折線を介してそれぞれ連続する底壁構成片と、前記第１の側壁および第３の側壁の上方に折線を介して連続する垂蓋片と、前記第２の側壁の上方あるいは第４の側壁の上方のいずれか一方に折り畳み線を介して連続する内折り畳み片と、前記第２の側壁の上方あるいは第４の側壁の上方のいずれか他方に折線を介して連続する天蓋壁とを有し、前記天蓋壁の差込片と前記内折り畳み片との間に、組立段階において前記差込片の差し込みによってロックされるロック手段を設け、前記天蓋壁あるいは前記第１〜第３の側壁の一部に開封手段を設けたことを特徴とする包装用箱。
【請求項５】
前記ロック手段が、前記天蓋壁における差込片の外側に向けてのび、それぞれ折り畳み線を介して左右に連続する折り畳みフック片と、前記内折り畳み片に設けられていて、前記折り畳みフック片を折り畳んだ状態で入り通過を許容し、通過後、拡がった状態で外れ通過を阻止する折り畳みフック片受入れ孔とからなることを特徴とする請求項４に記載の包装用箱。
【請求項６】
前記開封手段が、天蓋壁の全幅に渡って横断するミシン目線ジッパーあるいは第２の側壁における上方側にその全幅に渡って横断するミシン目線ジッパーであることを特徴とする請求項４あるいは請求項５に記載の包装用箱。
【請求項７】
一枚のシートを複数の折線を介して折り曲げて構成される包装用箱であって、互いに平行する第１〜第４の４本の折線を介して同一方向に折り曲げ可能に連接された第１の側壁、底壁、第２の側壁、天壁および糊代フラップとを有し、前記第１および第２の側壁における各左右に折線を介してそれぞれ連続する垂蓋片と、前記底壁の左右に折り畳み線を介して連続する内折り畳み片と、前記天壁の左右に折線を介して連続する第３および第４の側壁とを有し、前記第３および第４の側壁の各差込片と前記各内折り畳み片との間に、組立段階において前記差込片の差し込みによってロックされるロック手段を設け、前記天蓋壁の一部に開封手段を設けたことを特徴とする包装用箱。
【請求項８】
前記ロック手段が、前記第３および第４の側壁における差込片の外側に向けてのび、それぞれ折り畳み線を介して連続する折り畳みフック片と、前記内折り畳み片に設けられていて、前記折り畳みフック片を折り畳んだ状態で入り通過を許容し、通過後、拡がった状態で外れ通過を阻止する折り畳みフック片受入れ孔とからなることを特徴とする請求項７に記載の包装用箱。
【請求項９】
前記開封手段が、前記天蓋壁の一部を取り除くべく設けたミシン目線ジッパーであることを特徴とする請求項７あるいは請求項８に記載の包装用箱。
【請求項１０】
一枚のシートを複数の折線を介して折り曲げて構成される包装用箱であって、互いに平行する第１〜第４の４本の折線を介して同一方向に折り曲げ可能に連接された第１の側壁、第２の側壁、第３の側壁、第４の側壁および糊代フラップとを有し、前記第１および第３の側壁の上方および下方に折線を介してそれぞれ連続する垂蓋片と、前記第２の側壁の上方および下方に折り畳み線を介して連続する内折り畳み片と、前記第４の側壁の上方および下方に折線を介して連続する天蓋壁および底蓋壁とを有し、前記天蓋壁の差込片と前記上方側の内折り畳み片との間、および前記底蓋壁の差込片と前記下方側の内折り畳み片との間に、組立段階において前記差込片の差し込みによってロックされるロック手段を設け、前記天蓋壁の一部に開封手段を設けたことを特徴とする包装用箱。
【請求項１１】
前記ロック手段が、前記天蓋壁および底蓋壁における各差込片の外側に向けてのび、それぞれ折り畳み線を介して左右に連続する折り畳みフック片と、前記内折り畳み片に設けられていて、前記折り畳みフック片を折り畳んだ状態で入り通過を許容し、通過後、拡がった状態で外れ通過を阻止する折り畳みフック片受入れ孔とからなることを特徴とする請求項１０に記載の包装用箱。
【請求項１２】
前記開封手段が、前記天蓋壁の全幅に渡って横断するミシン目線ジッパーであることを特徴とする請求項１０あるいは請求項１１に記載の包装用箱。
【発明の詳細な説明】
【技術分野】
【０００１】
この発明は、紙製の一枚のシートを複数の折線を介して折り曲げて構成される包装用箱であって、例えば、糊などの接着剤による接着構成部分を極力少なくし、包装用箱の内部に所望の収納物を収納したのち、当該包装用箱を封緘する際、接着によって封緘するのではなく、紙の特性を利用して、当該包装用箱の組立段階における差込片の差し込みによって確実にロック封緘するように構成した包装用箱に関するものである。
【背景技術】
【０００２】
周知のように、紙製の一枚のシートを複数の折線を介して折り曲げて構成される包装用箱において、当該包装用箱の内部に所望の収納物を収納して封緘してしまい、開封用のミシン目線ジッパーに沿って箱の一部を破壊して開封するようにした包装用の箱は、糊などによる多くの接着構造部分を有しているものであった。上記する従来の典型的な包装用箱は、糊を塗布する塗布工程、糊による接着工程などの工程を必要とし、構造が複雑であったり、あるいは、コストがアップするなどの問題点を有していた。一方また、当該包装用箱の糊代部分をホッチキスなどで固定して立体的に組み立てるものについては、分別回収などの問題点を有することから、近年余り利用されていない。
【０００３】
従来から上記する理由により、糊などの接着剤による接着構造部分を利用しないで、包装用箱を構成するという多くの例が開発され提供されてきている。特許文献１に示すものは、通い箱等として接着剤、ステープルあるいは粘着テープ等を使用せずに容易に組み立てることが可能で、収納物の重量にも確実に耐えることができ、これにより上面と底面を閉じるフラップを劣化させずに組み立てと折り畳みが可能な包装用箱である。この特許文献１に示すものは、接合フラップの構造部分を除いて、確かに目的とする無接着構造のものとして構成されているが、底外フラップ４と底内フラップ５との間、並びに上外フラップ６と上内フラップ７との間の全てを固定するように構成してあり、その点において複雑な構造のものであって、しかも組み立て難いものである。
【０００４】
一方、特許文献２に示すものは、糊を使わなくても差し込むだけでしっかりと固定できるようにし、糊貼り工程を省くことによって、コストダウンできるように構成したパッケージの差込み固定構造体である。この特許文献２に示すものは、互いに交差する二つの立ち板により形成されるコーナー部分において、二つの立ち板を起立状態にロックするように構成した点が開示されているだけのものである。即ち、この特許文献２のものは、上記する具体的な構成のものにすぎず、包装用箱の内部に所望の収納物を収納したのち、当該包装用箱を完全に封緘して、内部収納物を取り出すときには、開封用ミシン目線ジッパーに沿って開封するように構成した包装用箱に対し、当該包装用箱を完全に封緘する際に、無接着で確実にロック封緘するような構成のものには適用できない。
【０００５】
【特許文献１】特開２００３−３４１６５８号公報（要約、図１〜図３）
【特許文献２】実開平５−７１１２７号公報（要約、図１〜図４）
【発明の開示】
【発明が解決しようとする課題】
【０００６】
そこで、この発明では、上記する特許文献１並びに特許文献２に示す従来技術の問題点を解消すべくなしたものであって、特に重要な要素は、極めて簡単な構成のものであって、機械詰めでも、あるいは手詰めでも、多種小ロットの箱詰めに対して極めて効果的に適用されるものであり、且つ、包装用箱の内部に所望の収納物を収納したのち、当該包装用箱を完全に封緘して、内部収納物を取り出すときには、開封用ミシン目線ジッパーに沿って開封するように構成した包装用箱に対し、当該包装用箱を完全に封緘する際に、無接着で確実にロック封緘するような構成のものに極めて有効に対応する包装用箱を提供することにある。
【課題を解決するための手段】
【０００７】
この発明は、上記する目的を達成するにあたって、請求項１に記載の発明は、一枚のシートを複数の折線を介して折り曲げて構成される包装用箱であって、互いに平行する第１〜第５の５本の折線を介して同一方向に折り曲げ可能に連接された第１の側壁、第２の側壁、第３の側壁、第４の側壁、前記第１の側壁の外側に重なり合う第５の側壁および前記第２の側壁の外側に重なり合う第６の側壁とを有し、前記第１の側壁の上方および下方に折線を介して連続する第１および第２の中蓋片と、前記第２の側壁または第４の側壁および第６の側壁の上方および下方に折線を介して連続する垂蓋片と、前記第３の側壁の上方および下方に折線を介して連続する天蓋壁および底蓋壁とを有し、前記天蓋壁の差込片と前記第１の側壁の上方側との間、および前記底蓋壁の差込片と前記第１の側壁の下方側との間に、組立段階において前記差込片の差し込みによってロックされるロック手段を設け、天蓋壁の一部に開封手段を設けたことを特徴とする包装用箱を構成するものである。
【０００８】
さらに、この発明において請求項２に記載の発明は、請求項１に記載の包装用箱であって、ロック手段が、天蓋壁および底蓋壁における各差込片の外側に向けてのび、それぞれ折り畳み線を介して左右に連続する折り畳みフック片と、前記第１の側壁における上方側および下方側に設けられていて、前記折り畳みフック片を折り畳んだ状態で入り通過を許容し、通過後、拡がった状態で外れ通過を阻止する折り畳みフック片受入れ孔とからなることを特徴とするものである。
【０００９】
さらに、この発明において請求項３に記載の発明は、請求項１あるいは請求項２に記載の包装用箱であって、開封手段が、天蓋壁の全幅に渡って横断するミシン目線ジッパーであることを特徴とするものである。
【００１０】
さらにまた、この発明において請求項４に記載の発明は、一枚のシートを複数の折線を介して折り曲げて構成される包装用箱であって、互いに平行する第１〜第４の４本の折線を介して同一方向に折り曲げ可能に連接された第１の側壁、第２の側壁、第３の側壁、第４の側壁および糊代フラップとを有し、前記第１〜第４の側壁における各下方に折線を介してそれぞれ連続する底壁構成片と、前記第１の側壁および第３の側壁の上方に折線を介して連続する垂蓋片と、前記第２の側壁の上方あるいは第４の側壁の上方のいずれか一方に折り畳み線を介して連続する内折り畳み片と、前記第２の側壁の上方あるいは第４の側壁の上方のいずれか他方に折線を介して連続する天蓋壁とを有し、前記天蓋壁の差込片と前記内折り畳み片との間に、組立段階において前記差込片の差し込みによってロックされるロック手段を設け、前記天蓋壁あるいは前記第１〜第３の側壁の一部に開封手段を設けたことを特徴とする包装用箱を構成するものでもある。
【００１１】
さらに、この発明において請求項５に記載の発明は、請求項４に記載の包装用箱であって、ロック手段が、天蓋壁における差込片の外側に向けてのび、それぞれ折り畳み線を介して左右に連続する折り畳みフック片と、内折り畳み片に設けられていて、折り畳みフック片を折り畳んだ状態で入り通過を許容し、通過後、拡がった状態で外れ通過を阻止する折り畳みフック片受入れ孔とからなることを特徴とするものである。
【００１２】
さらに、この発明において請求項６に記載の発明は、請求項４あるいは請求項５に記載の包装用箱であって、開封手段が、天蓋壁の全幅に渡って横断するミシン目線ジッパーあるいは第２の側壁における上方側にその全幅に渡って横断するミシン目線ジッパーであることを特徴とするものである。
【００１３】
さらにまた、この発明において請求項７に記載の発明は、一枚のシートを複数の折線を介して折り曲げて構成される包装用箱であって、互いに平行する第１〜第４の４本の折線を介して同一方向に折り曲げ可能に連接された第１の側壁、底壁、第２の側壁、天壁および糊代フラップとを有し、前記第１および第２の側壁における各左右に折線を介してそれぞれ連続する垂蓋片と、前記底壁の左右に折り畳み線を介して連続する内折り畳み片と、前記天壁の左右に折線を介して連続する第３および第４の側壁とを有し、前記第３および第４の側壁の各差込片と前記各内折り畳み片との間に、組立段階において前記差込片の差し込みによってロックされるロック手段を設け、前記天蓋壁の一部に開封手段を設けたことを特徴とする包装用箱を構成するものでもある。
【００１４】
さらに、この発明において請求項８に記載の発明は、請求項７に記載の包装用箱であって、ロック手段が、第３および第４の側壁における差込片の外側に向けてのび、それぞれ折り畳み線を介して連続する折り畳みフック片と、前記内折り畳み片に設けられていて、前記折り畳みフック片を折り畳んだ状態で入り通過を許容し、通過後、拡がった状態で外れ通過を阻止する折り畳みフック片受入れ孔とからなることを特徴とするものである。
【００１５】
さらに、この発明において請求項９に記載の発明は、請求項７あるいは請求項８に記載の包装用箱であって、開封手段が、天蓋壁の一部を取り除くべく設けたミシン目線ジッパーであることを特徴とするものである。
【００１６】
さらにまた、この発明において請求項１０に記載の発明は、一枚のシートを複数の折線を介して折り曲げて構成される包装用箱であって、互いに平行する第１〜第４の４本の折線を介して同一方向に折り曲げ可能に連接された第１の側壁、第２の側壁、第３の側壁、第４の側壁および糊代フラップとを有し、前記第１および第３の側壁の上方および下方に折線を介してそれぞれ連続する垂蓋片と、前記第２の側壁の上方および下方に折り畳み線を介して連続する内折り畳み片と、前記第４の側壁の上方および下方に折線を介して連続する天蓋壁および底蓋壁とを有し、前記天蓋壁の差込片と前記上方側の内折り畳み片との間、および前記底蓋壁の差込片と前記下方側の内折り畳み片との間に、組立段階において前記差込片の差し込みによってロックされるロック手段を設け、前記天蓋壁の一部に開封手段を設けたことを特徴とする包装用箱を構成するものでもある。
【００１７】
さらに、この発明において請求項１１に記載の発明は、請求項１０に記載の包装用箱であって、前記ロック手段が、前記天蓋壁および底蓋壁における各差込片の外側に向けてのび、それぞれ折り畳み線を介して左右に連続する折り畳みフック片と、前記内折り畳み片に設けられていて、前記折り畳みフック片を折り畳んだ状態で入り通過を許容し、通過後、拡がった状態で外れ通過を阻止する折り畳みフック片受入れ孔とからなることを特徴とするものである。
【００１８】
さらに、この発明において請求項１２に記載の発明は、請求項１０あるいは請求項１１に記載の包装用箱であって、前記開封手段が、前記天蓋壁の全幅に渡って横断するミシン目線ジッパーであることを特徴とするものでもある。
請求項１０あるいは請求項１１に記載の包装用箱。
【発明の効果】
【００１９】
この発明になる包装用箱は、請求項１、請求項４、請求項７並びに請求項１０に記載のもののように４つの基本的構成のものを含むものであり、これらはいずれも、包装用箱の内部に所望の収納物を収納したのち、当該包装用箱を完全に封緘して、内部収納物を取り出すときには、開封用ミシン目線ジッパーに沿って開封するように構成した包装用箱に対し、当該包装用箱を完全に封緘する際に、無接着で確実にロック封緘するような構成の包装用箱として提供することができ、糊などによる接着構造部分を極力省略し、紙の特性を利用したロック手段によって確実にロック封緘することができる点などと併せて極めて有効に作用するものといえる。
【００２０】
さらに、この発明になる包装用箱は、それ自体が極めて簡単な構成のものであって、機械詰めでも、あるいは手詰めでも、多種小ロットの箱詰めに対して極めて効果的に適用されるものであり、且つ、糊貼り工程などに要する作業の省力化が図れる点などにおいて、極めて有効に作用するものといえる。
【発明を実施するための最良の形態】
【００２１】
以下、この発明になる包装用箱について、図面に示す具体的な実施例に基づいて詳細に説明する。図１は、この発明になる包装用箱にあって、請求項１に記載の第１の発明における第１の実施例に係る包装用箱のための型抜きシートを展開して示す概略的な展開平面図である。図２は、その第１の発明における第２の実施例に係る包装用箱のための型抜きシートを展開して示す概略的な展開平面図である。図３は、この発明になる包装用箱にあって、請求項４に記載の第２の発明に係る包装用箱のための型抜きシートを展開して示す概略的な展開平面図である。図４は、請求項７に記載の第３の発明に係る包装用箱のための型抜きシートを展開して示す概略的な展開平面図である。図５は、請求項１０に記載の第４の発明に係る包装用箱のための型抜きシートを展開して示す概略的な展開平面図である。図６Ａ、図６Ｂ並びに図６Ｃは、当該包装用箱の内部に所望の収納物を収納した後、ロック手段によってロック封緘する手順を一部破断して示す概略的な斜視図である。
【００２２】
この発明になる包装用箱は、例えば、包装用箱の内部に所望の収納物を収納したのち、当該包装用箱を完全に封緘して、内部収納物を取り出すときには、開封用ミシン目線ジッパーに沿って開封するように構成した包装用箱であり、当該包装用箱を完全に封緘する際に、無接着で確実にロック封緘するような構成の包装用箱であり、請求項１〜請求項３に記載の第１の発明と、請求項４〜請求項６に記載の第２の発明と、請求項７〜請求項９に記載の第３の発明と、請求項１０〜請求項１２に記載の第４の発明とを含むものによって構成される。
【００２３】
まず、第１の発明に関して、図１に示す第１の実施例、並びに図２に示す第２の実施例に基づいて詳細に説明する。第１の発明における第１および第２の実施例は、第２の実施例のものが比較的偏平な包装用箱である点、開封手段が異なる点を除いて、他の構成は設計的な相違であり、実質上同一であるので、図面中では対応する部分毎に同一符号を付したものである。
【００２４】
この第１の発明になる包装用箱Ｐ１は、一枚の型抜きシートＳ１によって構成されている。一枚の型抜きシートＳ１は、図１および図２に示すように、互いに平行する第１〜第５の５本の折線７、８、９、１０および１１を介して同一方向に折り曲げ可能に連接された第１の側壁１、第２の側壁２、第３の側壁３、第４の側壁４、組み立て時において前記第１の側壁１の外側に重なり合う第５の側壁５および前記第２の側壁２の外側に重なり合う第６の側壁６とを有している。
【００２５】
前記第１の側壁１の上方には、折線１２を介して連続する第１の中蓋片１３が設けてあり、前記第１の側壁１の下方には、折線１４を介して連続する第２の中蓋片１５が設けてある。前記第４の側壁４の上方および下方には、折線１６、１８を介して連続する垂蓋片１７、１９が設けてあり、第６の側壁６の上方および下方には、折線２０、２２を介して連続する垂蓋片２１、２３が設けてある。前記第３の側壁３の上方および下方には、折線２４、２５を介して連続する天蓋壁２６および底蓋壁２７が設けてある。
【００２６】
前記天蓋壁２６および底蓋壁２７の各自由端側には、折線２８、２８を介して差し込み片２９、２９が設けてあり、前記各差し込み片２９、２９の自由端側に、ロック手段３０の一方の構成要素３０Ａが設けてある。前記ロック手段３０は、前記天蓋壁２６および底蓋壁２７における各差し込み片２９、２９の外側に向けてのびるロック構成片３１により構成されている。前記ロック構成片３１は、折り畳み線３２、３２を介して左右に連続する折り畳みフック片３３、３３を有している。これに対して前記ロック手段３０の他方の構成要素３０Ｂは、前記第１の側壁１における上方側および下方側に設けられていて、前記折り畳みフック片３３、３３を折り畳んだ状態で入り通過を許容し、通過後、拡がった状態で外れ通過を阻止する折り畳みフック片受入れ孔３４によって形成されている。
【００２７】
図１に示す第１の実施例において、開封手段３５は、前記天蓋壁２６の全幅に渡って横断するミシン目線ジッパー３５ａにより構成されているものであり、図２に示す第２の実施例において、開封手段３５は、前記天蓋壁２６の全幅に渡って横断するミシン目線３５ｂにより構成されているものである。
【００２８】
この第１の発明における各実施例の場合、第１〜第３の３本の折線７、８および９を同一方向に折り曲げ、第１〜第４の側壁１、２、３および４により四側壁を形成し、さらに第４の折線１０に沿って第５の側壁５を前記第１の側壁１の外側に重ね合わせ、さらにまた第５の折線１１に沿って第６の側壁６を前記第２の側壁２の外側に重ね合わせて接合する。図１および図２に示す実施例では、第１の側壁１の外面と第５の側壁５の内面との間で一部接着され、第２の側壁２の外面と第６の側壁６の内面との間で接着される。下側の中蓋片１５、下側の垂蓋片１９、２２を同一方向に折り曲げて、後述するようにして下側のロック手段３０を係止することにより、当該包装用箱Ｐ１は、図６Ａに示す状態に変位する。
【００２９】
例えば、図６Ａに示す状態において、当該包装用箱Ｐ１の内部に所望の収納物を収納した後、当該包装用箱Ｐ１は、次に示す手順に従って封緘される。まず、ロック手段３０の一方の構成要素３０Ａにおけるロック構成片３１の左右に連続する折り畳みフック片３３、３３を折り畳み線３２、３２に沿って完全に折り畳んだ後（図６Ｂ参照）、前記天蓋壁２６の自由端側の差し込み片２９ごとロック構成片３１を前記第１の側壁１と第５の側壁５との間に差し込む（図６Ｃ参照）。前記第１の側壁１と第５の側壁５との間に差し込まれたロック構成片３１における左右のフック片３３、３３は、前記第１の側壁１に設けてある折り畳みフック片受入れ孔３４の位置に達した段階で、折り畳まれた状態から開き延ばされた状態に変位し、当該フック片３３、３３が前記折り畳みフック片受入れ孔３４に進入して前記第１の側壁１の内側に入り込んでロック状態になる。
【００３０】
次いで、図３に基づいて、第２の発明になる包装用箱Ｐ２の具体的な構成について詳細に説明する。この第２の発明になる包装用箱Ｐ２は、一枚の型抜きシートＳ２によって構成されている。この一枚の型抜きシートＳ２は、図３に示すように、互いに平行する第１〜第４の４本の折線４７、４８、４９および５０を介して同一方向に折り曲げ可能に連接された第１の側壁４１、第２の側壁４２、第３の側壁４３、第４の側壁４４および糊代フラップ４５とを有している。
【００３１】
図３に示す実施例によれば、前記第１の側壁４１、第２の側壁４２、第３の側壁４３、第４の側壁４４の各下方には、折線５５、５６、５７、５８を介してそれぞれ連続する底壁構成片５１、５２、５３、５４が設けてあり、当該包装用箱Ｐ２の底部を形成する。一方、前記第１の側壁４１および第３の側壁４３の上方には、折線５９、６０を介して連続する垂蓋片６１、６２が設けてある。さらに、前記第２の側壁４２の上方には、折り畳み線６３を介して連続する内折り畳み片６４が設けてある。この実施例では、前記折り畳み線６３に沿って差し込み片差し込み開口６５が設けてあり、前記内折り畳み片６４には、折り畳みフック片受入れ孔３４が設けてある。
【００３２】
一方、図３に示す実施例において、前記第４の側壁４４の上方には、折線６６を介して連続する天蓋壁６７が設けてあり、その自由端側には、折線６８を介して差し込み片６９が設けてあり、前記差し込み片６９の自由端側に、ロック手段３０の一方の構成要素３０Ａが設けてある。前記ロック手段３０は、前記天蓋壁６７における各差し込み片６９の外側に向けてのびるロック構成片３１により構成されている。前記ロック構成片３１は、折り畳み線３２、３２を介して左右に連続する折り畳みフック片３３、３３を有している。これに対して前記ロック手段３０の他方の構成要素３０Ｂは、前記第２の側壁４２における上方側の内折り畳み片６４に設けられていて、前記折り畳みフック片３３、３３を折り畳んだ状態で入り通過を許容し、通過後、拡がった状態で外れ通過を阻止する折り畳みフック片受入れ孔３４によって形成されている。
【００３３】
この第２の発明における図３に示す実施例の場合、第１〜第３の３本の折線４７、４８および４９を同一方向に折り曲げ、第１〜第４の側壁４１、４２、４３および４４により四側壁を形成し、さらに第４の折線５０に沿って糊代フラップ４５を折り曲げ、これを第１の側壁４１に接合する。図３に示す実施例では、内折り畳み片６４が、第２の側壁側に折り畳まれて、その間で一部接着される。さらに、底壁構成片５１と底壁構成片５２ａとの間、底壁構成片５３と底壁構成片５４ａとの間が接着される。
【００３４】
図３に示す実施例において、開封手段３５は、前記第２の側壁４２における上方側に、その全幅に渡って横断するミシン目線ジッパー３５ｃと、その一端から前記第１の側壁４１に、傾斜して横断するミシン目線３５ｄ、その他端から前記第３の側壁４３に、傾斜して横断するミシン目線３５ｄによって構成されているものである。
【００３５】
次いで、図４に基づいて、第３の発明になる包装用箱Ｐ３の具体的な構成について詳細に説明する。この第３の発明になる包装用箱Ｐ３は、一枚の型抜きシートＳ３によって構成されている。この一枚の型抜きシートＳ３は、図４に示すように、互いに平行する第１〜第４の４本の折線７７、７８、７９および８０を介して同一方向に折り曲げ可能に連接された第１の側壁７１、底壁７２、第２の側壁７３、天壁７４および糊代フラップ７５とを有している。前記第１および第２の側壁７１、７３における各左右には、それぞれ折線８１を介して連続する垂蓋片８２を有している。前記底壁７２の左右には、折り畳み線８３を介して連続する内折り畳み片８４が設けてある。この実施例では、前記折り畳み線８３に沿って差し込み片差し込み開口８５が設けてあり、前記内折り畳み片８４には、折り畳みフック片受入れ孔３４が設けてある。
【００３６】
一方、図４に示す実施例において、前記天壁７４の左右には、折線８６、８６を介して連続する第３および第４の側壁８７、８７が設けてあり、その各自由端側には、折線８８を介して差し込み片８９が設けてあり、前記差し込み片８９の自由端側に、ロック手段３０の一方の構成要素３０Ａが設けてある。前記ロック手段３０は、前記差し込み片８９の外側に向けてのびるロック構成片３１により構成されている。前記ロック構成片３１は、折り畳み線３２、３２を介して連続する折り畳みフック片３３、３３を有している。これに対して前記ロック手段３０の他方の構成要素３０Ｂは、前記内折り畳み片８４に設けられていて、前記折り畳みフック片３３、３３を折り畳んだ状態で入り通過を許容し、通過後、拡がった状態で外れ通過を阻止する折り畳みフック片受入れ孔３４によって形成されている。
【００３７】
この第３の発明における図４に示す実施例の場合、第１〜第３の３本の折線７７、７８および７９を同一方向に折り曲げ、第１の側壁７１、底壁７２、第２の側壁７３、天壁７４により四側壁を形成し、さらに第４の折線８０に沿って糊代フラップ７５を折り曲げ、これを第１の側壁７１に接合する。図４に示す実施例では、各内折り畳み片８４、８４が、底壁７２側に折り畳まれて、それぞれその間で一部接着されるようになっている。
【００３８】
図４に示す実施例において、開封手段３５は、前記天壁７４の一部を取り除くべく設計されたミシン目線ジッパー３５ｅによって構成されているものである。
【００３９】
次いで、図５に基づいて、第４の発明になる包装用箱Ｐ４の具体的な構成について詳細に説明する。この第４の発明になる包装用箱Ｐ４は、一枚の型抜きシートＳ４によって構成されている。この一枚の型抜きシートＳ４は、図５に示すように、互いに平行する第１〜第４の４本の折線９７、９８、９９および１００を介して同一方向に折り曲げ可能に連接された第１の側壁９１、第２の側壁９２、第３の側壁９３、第４の側壁９４および糊代フラップ９５とを有している。前記第１および第３の側壁９１、９３の上方および下方には、それぞれ折線１０１を介して連続する垂蓋片１０２を有している。前記第２の側壁９２の上方および下方には、折り畳み線１０３、１０３を介してそれぞれ連続する内折り畳み片１０４、１０４が設けてある。この実施例では、前記折り畳み線１０３、１０３に沿って差し込み片差し込み開口１０５、１０５が設けてあり、前記内折り畳み片１０４、１０４には、折り畳みフック片受入れ孔３４、３４が設けてある。
【００４０】
一方、図５に示す実施例において、前記第４の側壁９４の上方および下方に折線１０６を介して連続する天蓋壁１０７ａおよび底蓋壁１０７ｂが設けてあり、その各自由端側には、折線１０８を介して差し込み片１０９が設けてあり、前記差し込み片１０９の自由端側に、ロック手段３０の一方の構成要素３０Ａが設けてある。前記ロック手段３０は、前記差し込み片１０９の外側に向けてのびるロック構成片３１により構成されている。前記ロック構成片３１は、折り畳み線３２、３２を介して連続する折り畳みフック片３３、３３を有している。これに対して前記ロック手段３０の他方の構成要素３０Ｂは、前記内折り畳み片１０４に設けられていて、前記折り畳みフック片３３、３３を折り畳んだ状態で入り通過を許容し、通過後、拡がった状態で外れ通過を阻止する折り畳みフック片受入れ孔３４によって形成されている。
【００４１】
この第４の発明における図５に示す実施例の場合、第１〜第３の３本の折線９７、９８および９９を同一方向に折り曲げ、第１〜第４の側壁９１〜９４により四側壁を形成し、さらに第４の折線１００に沿って糊代フラップ９５を折り曲げ、これを第１の側壁９１に接合する。図５に示す実施例では、各内折り畳み片１０４、１０４が、第２の側壁９２側に折り畳まれて、それぞれその間で一部接着されるようになっている。
【００４２】
図５に示す実施例において、開封手段３５は、前記天蓋壁１０７ａの全幅に渡って横断するミシン目線ジッパー３５ｆによって構成されているものである。
【図面の簡単な説明】
【００４３】
【図１】図１は、この発明になる包装用箱にあって、請求項１に記載の第１の発明における第１の実施例に係る包装用箱のための型抜きシートを展開して示す概略的な展開平面図である。
【図２】図２は、その第１の発明における第２の実施例に係る包装用箱のための型抜きシートを展開して示す概略的な展開平面図である。
【図３】図３は、この発明になる包装用箱にあって、請求項４に記載の第２の発明に係る包装用箱のための型抜きシートを展開して示す概略的な展開平面図である。
【図４】図４は、請求項７に記載の第３の発明に係る包装用箱のための型抜きシートを展開して示す概略的な展開平面図である。
【図５】図５は、請求項１０に記載の第４の発明に係る包装用箱のための型抜きシートを展開して示す概略的な展開平面図である。
【図６】図６Ａ、図６Ｂ並びに図６Ｃは、当該包装用箱の内部に所望の収納物を収納した後、ロック手段によってロック封緘する手順を一部破断して示す概略的な斜視図である。
【符号の説明】
【００４４】
Ｐ１、Ｐ２、Ｐ３、Ｐ４  異なる構造の包装用箱
Ｓ１、Ｓ２、Ｓ３、Ｓ４  型抜きシート
１  第１の側壁
２  第２の側壁
３  第３の側壁
４  第４の側壁
５  第５の側壁
６  第６の側壁
１３  第１の中蓋片
１５  第２の中蓋片
１７、１９  垂蓋片
２１、２３  垂蓋片
２６  天蓋壁
２７  底蓋壁
２９  差し込み片
３０  ロック手段
３０Ａ  ロック手段の一方の構成要素
３０Ｂ  ロック手段の他方の構成要素
３１  ロック構成片
３３  折り畳みフック片
３４  折り畳みフック片受入れ孔
３５  開封手段
【図１】
2006103728.tif 000003
【図２】
2006103728.tif 000004
【図３】
2006103728.tif 000005
【図４】
2006103728.tif 000006
【図５】
2006103728.tif 000007
【図６】
2006103728.tif 000008